(57)【要約】【課題】  商店・スーパーマーケット・コンビニエンスストア等で包装用に利用されているポリ袋，ビニール袋やレジ袋などをゴミ袋等の収容袋として使用（再使用）できる従来に無い便利な収容袋用ホルダーを提供することにある。【解決手段】  収容袋用ホルダーは、リング部１とこのリング部１を支える支持部とを備える。リング部１は、収容袋を取り付けるために円形又は多角形に形成された環状の部位である。また、支持部は、リング部１から垂下する１本の支柱２及び支柱２の下端からリング部１と平行に円形又は多角形に形成された環状の架台３を有する。そして、架台３をリング部１及び支柱２よりも太く形成して重量を加えた状態にした。【選択図】  図１
2020055667.tif 000002
【特許請求の範囲】
【請求項１】
ゴミや食品などの物を収容する収容袋を取り付けるスタンド状のホルダーであって、
収容袋を取り付けるために円形又は多角形に形成された環状のリング部と、
リング部を支えるためにリング部から垂下する１本の支柱及び支柱下端からリング部と平行に円形又は多角形に形成された環状の架台を有する支持部と、を備え、
架台をリング部及び支柱よりも太く形成して重量を加えた状態にしたことを特徴とする収容袋用ホルダー。
【請求項２】
リング部と支持部とが１本の線材を折り曲げて形成されていることを特徴とする請求項１記載の収容袋用ホルダー。
【請求項３】
線材として円柱形状，角柱形状又は平板形状のものを使用したことを特徴とする請求項２記載の収容袋用ホルダー。
【請求項４】
支柱部分を２度通るように１本の線材を曲げて形成されていることを特徴とする請求項２又は３記載の収容袋用ホルダー。
【請求項５】
環状の架台を二重にしたことを特徴とする請求項１から４のいずれかに記載の収容袋用ホルダー。
【請求項６】
支柱の一部に蛇腹状の波を設けたことを特徴とする請求項１から５のいずれかに記載の収容袋用ホルダー。
【発明の詳細な説明】
【技術分野】
【０００１】
本願発明は、商店・スーパーマーケット・コンビニエンスストア等で包装用に利用されているポリ袋，ビニール袋やレジ袋など（その大きさを問わない）を「ゴミ袋」として使用することのできる収容袋用ホルダーに関するものである。
【背景技術】
【０００２】
現代社会では生活全てに無駄を無くす事が必要になってきている。地下資源で作ったビニール袋やポリエチレンで作った袋などは大切に扱わなくてはならない。例えば、スーパー等で食品の包装に使用されてくる透明な薄くて丈夫なポリ袋を家庭に帰って品物を取り出したら直ぐに捨ててしまうのではなく、再使用（リユース）することが重要である。
【０００３】
そこで、本願発明者・出願人は、商店・スーパーマーケット・コンビニエンスストア等で包装用に利用されているポリ袋，ビニール袋やレジ袋などを「ゴミ袋」として使用することのできる従来に無い便利な収容袋用ホルダーを開発した（特許文献１）。
【先行技術文献】
【特許文献】
【０００４】
【特許文献１】実用新案登録第３１６３１８１号公報
【発明の概要】
【発明が解決しようとする課題】
【０００５】
本願発明は、特許文献１に開示された収容袋用ホルダー（初代：図１１及び図１２）を改良し、より一層の設置安定性とデザイン性の向上を図ることを目的として、本願発明を完成させるに至った。
【課題を解決するための手段】
【０００６】
本願発明の第１の発明は、ゴミや食品などの物を収容する収容袋を取り付けるスタンド状のホルダーであって、収容袋を取り付けるために円形又は多角形に形成された環状のリング部と、リング部を支えるためにリング部から垂下する１本の支柱及び支柱下端からリング部と平行に円形又は多角形に形成された環状の架台を有する支持部と、を備え、架台をリング部及び支柱よりも太く形成して重量を加えた状態にしたことを特徴とする収容袋用ホルダーである。
第２の発明は、リング部と支持部とが１本の線材を折り曲げて形成されていることを特徴とする同収容袋用ホルダーである。
第３の発明は、線材として円柱形状，角柱形状又は平板形状のものを使用したことを特徴とする同収容袋用ホルダーである。
第４の発明は、支柱部分を２度通るように１本の線材を曲げて形成されていることを特徴とする同収容袋用ホルダーである。
第５の発明は、環状の架台を二重にしたことを特徴とする同収容袋用ホルダーである。
第６の発明は、支柱の一部に蛇腹状の波を設けたことを特徴とする同収容袋用ホルダーである。
【発明の効果】
【０００７】
本願発明に係る収容袋用ホルダー（本願ホルダー）よれば、以下の効果を有する。
（１）主にキッチンのシンク隅に置いて生ゴミ入れとして使用することが想定されているが、洗面台・浴室などの水回りやその他の生活空間に置いてゴミ入れとして使用することができる。
（２）セットした収容袋に物（ゴミなど）を投入すると物の重量で収容袋の底はシンク等の設置面に接地するが、重量は一切本願ホルダーにかからない。その上、ゴミの量によって収容袋だけが膨らむが、本願ホルダーは一本の金属線材（針金等）を折り曲げて形成されているので弾力性があり撓って復元性がある。このため、シンク内に鍋などの水を一度に流しても本願ホルダーは簡単には転倒せず、収容袋の中のゴミが飛び出すこともない。
（３）特に、架台をリング部及び支柱よりも太く形成して重量を加えた状態にしたことで、より一層の設置安定性の向上を図ることができた。また、架台をその他の部分（リング部及び支柱）よりも太く形成することで重量感が増してどっしりとした安定感を与えて、デザイン性の向上も同時に図ることができた。
（４）収容袋を１枚ではなく数枚重ねてセットして置けば、順次ゴミが一杯になったゴミ袋のみを取り出せばよく、その都度収容袋をセットせずにそのまま使用できる。
【０００８】
（５）また、本願ホルダーは、ゴミ袋（ゴミ入れ）として使用する以外にも、カレーや煮物等の冷凍保存などに使用する保存袋（ナイロン袋等）にレードル（お玉）で袋に入れる場合にも使用できる。すなわち、ファスナー付きの保存袋などへは一人では上手に入れられないが、本願ホルダーを使用することで、両手が空いて上手に入れられる。そして、大きな袋に沢山入れても袋が物の重さで広がるが、本願ホルダーは「弾力性」と「一本足」のために袋の広がりを邪魔せずに転倒することなく、また品物をレードルで入れても上部のファスナー部分を汚さない。
（６）さらに、環状のリング部と架台の大きさ（径）を変えることで、収容袋の大きさに合わせてリング部と架台を選択すればよい。すなわち、架台がリング部よりも小さい場合に、小さな袋をセットする時には本体を逆さにして架台に当該袋を被せて（＝架台をリング部とする）使用できる。
【図面の簡単な説明】
【０００９】
【図１】本願ホルダーの第１実施形態を示す説明図（１）。
【図２】本願ホルダーの第１実施形態を示す説明図（２）。
【図３】本願ホルダーの第１実施形態を示す説明図（３）。
【図４】本願ホルダーの第１実施形態を示す説明図（４）。
【図５】本願ホルダーの第２実施形態を示す説明図。
【図６】本願ホルダーの第３実施形態を示す説明図。
【図７】本願ホルダーの第４実施形態を示す説明図。
【図８】本願ホルダーの第５実施形態を示す説明図（１）。
【図９】本願ホルダーの第５実施形態を示す説明図（２）。
【図１０】本願ホルダーの第６実施形態を示す説明図。
【図１１】特許文献１に開示された収容袋用ホルダー（初代）を示す説明図（１）。
【図１２】特許文献１に開示された収容袋用ホルダー（初代）を示す説明図（２）。
【発明を実施するための形態】
【００１０】
本願発明に係る「収容袋用ホルダー」を図面に基づいて説明する。
まず、図１〜図４は、本願ホルダーの第１実施形態を示す説明図である。図示するように、本願ホルダーは、リング部１とこのリング部１を支える支持部とを備える。リング部１は、収容袋を取り付けるために円形又は多角形の環状に形成された部位である。また、支持部は、リング部１から垂下する１本の支柱２及び支柱２の下端からリング部１と平行に円形又は多角形の環状に形成された架台３を有するものである。
【００１１】
ここで、リング部１と支持部（支柱２及び架台３）とは、１本の線材を折り曲げて形成される。その素材は、金属・樹脂・プラスチック等及びこれらの素材を複合させたものであってもよい。
【００１２】
その使用方法は、リング部１に収容袋（図示省略）を被せながら下に下げて外れないようにする。この時、収容袋の底は接地面に接触してもよい。支柱２はリング部１の太さと同じでも、異なっていてもよい。また、支柱２は弾力性が必要である。すなわち、収容袋に物を入れた場合、弾力性を持ち撓む性質が必要なのである。１本の支柱２は収容袋に物を入れても自立していて物の重量が支柱２にかからず、外部からの力が加わっても物を入れた収容袋が移動するが支柱２に弾力があるため本願ホルダーは転倒しない。
【００１３】
支柱２を２本，３本と多用すると外部の力で本願ホルダーは転倒をする。そして、架台３はリング部１や支柱２の部材よりも太くして重量を加えた状態にする。これによって、重心が下がり一層の設置安定性が増加し、外部からの力が加わっても設置安定性を保持させる。
【００１４】
なお、図４は、第１実施形態の変形例で、収容袋を被せるリング部１の輪を繋げずに、離した（１−１）応用図である。
【００１５】
次に、図５は、本願ホルダーの第２実施形態を示す説明図である。第２実施形態は、第１実施形態と構造を同じにして、線材（素材）の形を平板状態にしたものである。これにより、より一層の設置安定性が向上するとともに、平板面に文字や絵などを描くことができる。
【００１６】
続いて、図６は、本願ホルダーの第３実施形態を示す説明図である。第３実施形態は、第１実施形態と同じ構造であるが、支柱部分を２度通るように線材を曲げたものである。
同じく、図７は、本願ホルダーの第４実施形態を示す説明図である。第４実施形態は、第１実施形態と同じ構造であるが、架台部分を二重にして重量を増やして一層の設置安定性が増加した架台３となっている。
【００１７】
さらに、図８及び図９は、本願ホルダーの第５実施形態を示す説明図である。第５実施形態は、第２実施形態と同じく線材（素材）の形を平板状態にしたものを使用しており、その支柱２の一部を支柱に弾力性を持たせるために蛇腹状の波を設けた。こうすることで、蛇腹の波打ち状態となり、本願ホルダーの転倒を防止できる。
【００１８】
その他の支持部については、図８では第１実施形態と同じように弾力性と安定性のある形状になっている。一方、図９では架台３を円形にして、安定性を与えるためと重量を加えるために厚くして安定性を持たせている。
【００１９】
図１０は、本願ホルダーの第６実施形態を示す説明図である。図示するＡ，Ｂ，Ｃは、いずれも線材の断面図のバリエーションで、用途に応じて図示のような形状のものを選択して使用する。
【実施例１】
【００２０】
本願ホルダーの実施例として、図１の実施形態１を用いると、次のようになる。
リング部１：直径１４０ｍｍ
支柱２    ：高さ１５０ｍｍ
架台３    ：直径１００ｍｍ（太くすることにより重量が増して安定するとともに、リング部材１・支柱２・架台３が繋がっていながら湾曲に曲がっているため弾力性が発生する）
【００２１】
一般的な流し（シンク）の深さは１５０ｍｍから２００ｍｍで共通しているため、シンクの中に本願ホルダーを置いた場合でもシンクから本体が飛び出さず、使い易い。シンクの底は水の流れが良いように水勾配を有するが、本願ホルダーの架台は勾配している底面に置いても安定していて転倒しない。
なお、上記寸法を大きくすることによって、内容量４０Ｌから５０Ｌの袋を付けて落ち葉の収納に使える。この場合の本願ホルダーは簡単には転倒しない。
【産業上の利用可能性】
【００２２】
本願発明に係る「収容袋用ホルダー」は以下の用途に利用できるが、これに限定されるものではない。
（１）ゴミ袋用ホルダー
（２）保存袋用ホルダー
（３）その他
【符号の説明】
【００２３】
（図１〜図１０に関して）
１  リング部
２  支柱（支持部）
３  架台（支持部）
【００２４】
（図１１及び図１２に関して）
１０  収容袋用ホルダー（初代）
２０  リング部
３０  支持部
３１  支柱
３５  架台
５０  袋（ゴミ袋）
【図１】
2020055667.tif 000003
【図２】
2020055667.tif 000004
【図３】
2020055667.tif 000005
【図４】
2020055667.tif 000006
【図５】
2020055667.tif 000007
【図６】
2020055667.tif 000008
【図７】
2020055667.tif 000009
【図８】
2020055667.tif 000010
【図９】
2020055667.tif 000011
【図１０】
2020055667.tif 000012
【図１１】
2020055667.tif 000013
【図１２】
2020055667.tif 000014
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
ゴミや食品などの物を収容する収容袋を取り付けるスタンド状のホルダーであって、
収容袋を取り付けるために円形又は多角形に形成された環状のリング部と、
リング部を支えるためにリング部から垂下する１本の支柱及び支柱下端からリング部と平行に円形又は多角形に形成された環状の架台を有する支持部と、を備え、
架台をリング部及び支柱よりも太く形成して架台に重量を加えた状態にしたことを特徴とするとともに、
架台をリング部よりも小さい径にして、小さな収容袋をセットする時には本体を逆さにして架台に当該収容袋を被せて使用できることを特徴とする収容袋用ホルダー。
【請求項２】
リング部と支持部とが１本の線材を折り曲げて形成されていることを特徴とする請求項１記載の収容袋用ホルダー。